(57)【要約】【課題】コントラストおよび輝度を向上させることが可能な液晶表示装置を提供する。【解決手段】液晶表示装置１は、複数の画素がマトリクス状に配列され、偏光板１９、ＴＦＴ基板１１、画素電極、配向膜１３、液晶層１４、配向膜１５、対向電極１６、カラーフィルタ層、対向基板１８、偏光板２０が配置されている。各画素の平面形状が、偏光板１９，２０の吸収軸に対して傾斜する方向に延在する辺を有する「く」の字型となっていることにより、開口率が効果的に向上する。ＴＦＴ基板１１に形成されるデータ線１１ａは、各画素の表示開口領域に、平行部１１ａ−１を有する。光源からの光が平行部１１ａ−１の側面で反射すると、その反射光は偏光板２０によって吸収される。よって、黒表示の際の光漏れの発生が抑制される。【選択図】図２
2009047773.tif 000002
【特許請求の範囲】
【請求項１】
複数の画素が全体としてマトリクス状に配置されると共に、光源からの光を変調するための液晶層と、前記液晶層を封止する一対の基板と、前記液晶層への入射光および前記液晶層からの出射光のうち特定の偏光成分のみを透過させる一対の偏光板とを備えた液晶表示装置であって、
各画素は、その平面形状における対向する２辺が前記一対の偏光板の透過軸もしくは吸収軸に対して傾斜する方向に延在し、
前記一対の基板のうち一の基板上に金属層を有し、
前記金属層は、表示開口領域において、前記一対の偏光板の透過軸もしくは吸収軸に対して平行する方向に延在した平行部を含む
ことを特徴とする液晶表示装置。
【請求項２】
前記液晶層における液晶分子の配向方向は、前記一対の偏光板の透過軸もしくは吸収軸に対して４５°の角度をなす
ことを特徴とする請求項１記載の液晶表示装置。
【請求項３】
各画素の平面形状における対向する２辺は、前記一対の偏光板の透過軸もしくは吸収軸に対して４５°の角度をなす
ことを特徴とする請求項１記載の液晶表示装置。
【請求項４】
各画素は、くの字型の平面形状を有する
ことを特徴とする請求項１記載の液晶表示装置。
【請求項５】
前記一対の基板のうち他の基板上に前記画素ごとに、Ｒ（Red：赤）、Ｇ（Green：緑）またはＢ（Blue：青）の色の光を透過させるカラーフィルタを備え、
前記Ｒ，Ｇ，Ｂに対応する画素のうち少なくとも一の画素において、前記平行部が設けられている
ことを特徴とする請求項１記載の液晶表示装置。
【請求項６】
前記Ｒ，Ｇ，Ｂに対応する画素のうち少なくともＧに対応する画素において、前記平行部が設けられている
ことを特徴とする請求項５記載の液晶表示装置。
【請求項７】
前記Ｒ，Ｇ，Ｂに対応する画素の全ての画素において、前記平行部が設けられている
ことを特徴とする請求項５記載の液晶表示装置。
【請求項８】
前記金属層は、前記画素に画像信号を伝達するためのデータ線である
ことを特徴とする請求項１記載の液晶表示装置。
【請求項９】
前記金属層は、前記画素に補助容量を形成するための補助容量線である
ことを特徴とする請求項１記載の液晶表示装置。
【請求項１０】
各画素は、前記液晶層における液晶分子の配向方向がそれぞれ異なる複数の領域を有する
ことを特徴とする請求項１記載の液晶表示装置。
【発明の詳細な説明】
【技術分野】
【０００１】
本発明は、複数の画素を配列してなる液晶表示装置に関する。
【背景技術】
【０００２】
近年、液晶テレビやノート型パソコン、カーナビゲーション等の表示モニタとして、例えば、垂直配向型液晶を用いたＶＡ（Vertical Alignment）モードを採用した液晶表示装置（例えば、特許文献１参照）が提案されている。
【０００３】
ＶＡモードの液晶表示装置では、図９に示したように、駆動用基板１２０と対向基板１２１との間に、画素電極１２２および対向電極１２３と垂直配向膜１２９Ａ，１２９Ｂとを間にして、垂直配向型の液晶層１２４が封止されている。また、駆動用基板１２０および対向基板１２１の上下には、透過軸が互いに直交するように配置された一対の偏光板（偏光子、検光子）１２５，１２６が設けられている。このような構成において、各電極１２２，１２３の液晶層１２４に対向する面に突起１２７を設けることによって、液晶分子のダイレクタ（長軸方向）が規制され、液晶層の配向制御を行うことができる。これにより、一画素を配向分割して、液晶分子の配向方向が異なる領域を複数形成することができ（マルチドメイン化）、広視野角かつ高コントラストが実現される。
【０００４】
また、配向制御の別の手段としては、図１０（Ａ）に示したように、矩形状の平面形状を有する画素内において、画素電極１２２および対向電極１２３のそれぞれに、スリット（切り込み）１２８を設けることで、液晶分子に対して斜め方向に電界を印加する手法がある。これにより、例えば、図１０（Ｂ）に示したように、それぞれ液晶分子の配向方向の異なる領域ａ，ｂ，ｃ，ｄが形成され、より広視野角となる。また、吸収軸Ａｎおよび吸収軸Ｐｏに対して傾斜する角度方向にスリットを設けることで、液晶分子が吸収軸Ａｎおよび吸収軸Ｐｏに対して傾斜する方向に配向制御され、開口率が向上する。このような矩形状の画素では、例えばデータ線などのＴＦＴ基板上に形成される金属配線は、寄生容量の発生を抑制するために、画素内のスリットによって形成される各領域の平面形状に沿って斜めに設けられる。
【特許文献１】特開平１１−２４２２２５号公報
【特許文献２】特開２００６−９１８９０号公報
【発明の開示】
【発明が解決しようとする課題】
【０００５】
しかしながら、金属配線が、画素内の各領域の平面形状に沿って偏光板の透過軸もしくは吸収軸に対して傾斜して設けられていると、その金属配線の側面において反射した光は偏光成分が変化し、偏光板によって吸収されずに透過されてしまう。このため、黒表示の際に光漏れとして検出され、コントラストが低下するという問題があった。
【０００６】
そこで、特許文献２には、矩形状の画素を、斜め方向にスリットを設けて配向分割した構成において、金属配線を偏光板の偏光方向に対して垂直または平行な方向に配置することにより、上記のような光漏れを抑制する手法が提案されている。ところが、矩形状の画素では、その周縁の領域（例えば、図１０（Ｂ）の領域Ｄ）において、液晶分子に印加される電界が一様でないため、液晶分子の配向方向が乱れ、開口率が低下してしまう。この結果、輝度が低下するという問題があった。
【０００７】
本発明はかかる問題点に鑑みてなされたもので、その目的は、コントラストおよび輝度を向上させることが可能な液晶表示装置を提供することにある。
【課題を解決するための手段】
【０００８】
本発明による液晶表示装置は、複数の画素が全体としてマトリクス状に配置されると共に、光源からの光を変調するための液晶層と、液晶層を封止する一対の基板と、液晶層への入射光および液晶層からの出射光のうち特定の偏光成分のみを透過させる一対の偏光板とを備えている。各画素は、その平面形状における対向する２辺が一対の偏光板の透過軸もしくは吸収軸に対して傾斜する方向に延在している。一対の基板のうち一の基板上に金属層を有し、この金属層は、その表示開口領域において、一対の偏光板の透過軸もしくは吸収軸に対して平行する方向に延在した平行部を含んでいる。
【０００９】
但し、表示開口領域とは、各画素領域のうち、金属層が配置されていない状態において実際に光が通る領域をいうものとする。また、偏光板の透過軸と吸収軸とは互いに直交し、透過軸もしくは吸収軸に対して傾斜する方向とは、偏光板の透過軸もしくは吸収軸に対して、平面内で平行も直交もしない方向をいうものとする。
【００１０】
本発明による液晶表示装置では、各画素の平面形状が、一対の偏光板の透過軸もしくは吸収軸に対して傾斜する方向に延在する対向する２辺を有していることにより、従来のような矩形状となっている場合に比べて、液晶層の液晶分子が、一対の偏光板の透過軸もしくは吸収軸に対して傾斜する方向に、略一様に配向制御され易くなる。また、一の基板上に設けられた金属層が、各画素の表示開口領域に平行部を含んでいることにより、平行部では、光源からの光が側面で反射されたのち、偏光板によって吸収される。よって、黒表示の際の光漏れが抑制される。
【発明の効果】
【００１１】
本発明の液晶表示装置によれば、各画素の平面形状が、一対の偏光板の透過軸もしくは吸収軸に対して傾斜する方向に延在する対向する２辺を有するようにしたので、液晶層の液晶分子は、一対の偏光板の透過軸もしくは吸収軸に対して傾斜する方向に、略一様に配向制御され易くなり、開口率を向上させることができる。また、一の基板上に設けられた金属層が、各画素の表示開口領域において、一対の偏光板の透過軸もしくは吸収軸に対して平行する方向に延在する平行部を含むようにしたので、黒表示の際の光漏れを抑制することができる。よって、コントラストおよび輝度を向上させることが可能となる。
【発明を実施するための最良の形態】
【００１２】
以下、本発明の実施の形態について図面を参照して詳細に説明する。
【００１３】
図１は、本発明の一実施の形態に係る液晶表示装置１の概略構成を示す断面図である。この液晶表示装置１は、例えば、図示しないゲートドライバから供給される駆動信号によって、データドライバから伝達される映像信号に基づいて画素ごとに映像表示を行うアクティブマトリクス方式の表示装置である。
【００１４】
液晶表示装置１は、マトリクス状に配置された複数の画素（ドット）、例えば赤（Ｒ：Red）を表示する画素１０Ｒ、緑（Ｇ：Green）を表示する画素１０Ｇ、青（Ｂ：Blue）を表示する画素１０Ｂを有している。この液晶表示装置１は、ＴＦＴ（Thin Film Transistor；薄膜トランジスタ）基板１１と対向基板１８との間に、画素ごとに形成された画素電極１２Ｒ，１２Ｇ，１２Ｂ、配向膜１３、液晶層１４、配向膜１５、対向電極１６、画素ごとに形成されたカラーフィルタ層１７Ｒ，１７Ｇ，１７Ｂを、ＴＦＴ基板１１の側から順に積層した構成となっている。隣接するカラーフィルタ層１７Ｒ，１７Ｇ，１７Ｂ同士の境界付近にはブラックマトリクス層ＢＭが形成されている。また、ＴＦＴ基板１１の下面および対向基板１８の上面には、それぞれ偏光板１９および偏光板２０が配置されている。このような液晶表示装置１は、液晶テレビやノート型パソコンなどの電子機器用表示モニタとして用いられる。
【００１５】
ＴＦＴ基板１１および対向基板１８は、例えばガラスなどの透明基板を含んで構成されている。ＴＦＴ基板１１を構成する透明基板には、画素１０Ｒ，１０Ｇ，１０Ｂをそれぞれ駆動するゲート・ソース・ドレイン等を備えたＴＦＴスイッチング素子（図示せず）や、これらＴＦＴスイッチング素子に接続されるゲート線（図示せず）およびデータ線（金属層）１１ａなどの各種配線が形成されている。このデータ線１１ａの構成については後述する。
【００１６】
画素電極１２Ｒ，１２Ｇ，１２Ｂおよび対向電極１６は、例えばＩＴＯ（インジウム錫酸化物）などの透明電極により構成されている。これらの電極には、図示しないスリット（切り込み部）や突起などが設けられており、これにより、液晶層１４内の液晶分子に対して、斜めに電界をかけ、各画素内で配向分割（マルチドメイン）がなされるようになっている。この各画素での配向分割については後述する。
【００１７】
液晶層１４は、例えばネマティック液晶、スメクティック液晶、コレステリック液晶などの液晶材料より構成され、例えば電圧を印加しない状態における液晶分子のダイレクタ（長軸方向）が基板面に対して垂直方向となっているＶＡ（Vertical Alignment）液晶によって構成されている。このような液晶層１４では、電圧を印加しない状態で黒表示モード（ノーマリーブラック）となっている。配向膜１３，１５は、ＴＦＴ基板１１と対向基板１８との間に液晶層１４を封止する際に、液晶層１４の配向状態を規制するものであり、本実施の形態では、垂直配向性を有する配向膜、例えばポリイミドなどの樹脂材料によって構成されている。
【００１８】
カラーフィルタ層１７Ｒ，１７Ｇ，１７Ｂは、対向基板１８に隣接して、ブラックマトリックスＢＭの開口領域に形成されている。このカラーフィルタ層１７Ｒ，１７Ｇ，１７Ｂは、例えば、顔料分散型カラーフィルタ等であり、それぞれ、赤色、緑色および青色の波長領域の光を効果的に透過して、それ以外の波長領域の光を効果的に吸収するようになっている。
【００１９】
ブラックマトリックスＢＭは、画素１０Ｒ，１０Ｇ，１０Ｂの表示領域を区画すると共に、各色の区域どうしの境界における外光の反射の防止および画素間の光漏れを防止し、コントラストを高めるためのものである。このブラックマトリクスＢＭは、金属、金属酸化物および金属窒化物の薄膜層を積層してなり、例えば、ＣｒＯｘ（ｘは任意数）およびＣｒの積層からなる２層クロムブラックマトリクス、あるいは反射率を低減させたＣｒＯｘ、ＣｒＮｙおよびＣｒ（ｘ，ｙは任意数）の積層からなる３層クロムブラックマトリクスなどにより構成されている。
【００２０】
偏光板１９，２０は、特定の方向に振動する偏光を透過させ、それと直交する方向に振動する偏光を吸収するようになっている。これらの偏光板１９，２０は、それぞれの透過軸が、互いに直交するように配置されている。偏光板１９が偏光子、偏光板２０が検光子となっており、偏光板１９の下方に図示しない光源（バックライト）が配置され、偏光板２０の上方が表示側となっている。
【００２１】
なお、光源としては、例えば、導光板を用いたエッジライト型や、直下型のタイプのものが用いられ、例えば、ＣＣＦＬ（Cold Cathode Fluorescent Lamp：冷陰極傾向ランプ）や、ＬＥＤ（Light Emitting Diode：発光ダイオード）などを含んで構成されている。また、この他にも、光源あるいは偏光板１９の側から戻ってきた光を拡散させて、再び表示光として利用する（リサイクル）ために反射板などが設けられていてもよい。
【００２２】
次に、図２および図３を参照して、ＴＦＴ基板１１に形成される配線の構成および各画素における配向分割について説明する。図２は、カラーフィルタ層の側からみたデータ線１１ａの平面構成を画素１０Ｒ，１０Ｇ，１０Ｂについて表すものである。図３は、液晶表示装置１の各画素における配向分割の一例を表すものである。なお、液晶表示装置１では、複数の画素がマトリクス状に配列した構成となっているが、簡便化のため、データ線１１ａの延在方向と直交する方向に配列したＲ，Ｇ，Ｂの３つの画素（ドット）についてのみ示す。また、本実施の形態では、偏光板１９の吸収軸Ａｎが垂直方向、偏光板２０の吸収軸Ｐｏが水平方向となるように配置されている。
【００２３】
画素１０Ｒ，１０Ｇ，１０Ｂは、その平面形状における対向する２辺が、吸収軸Ａｎもしくは吸収軸Ｐｏに対して傾斜する方向に延在した構成となっている。例えば、２組の対向する２辺が、互いに異なる傾斜方向に延在した平面形状、具体的には、図２に示したような「く」の字型の平面形状となっている。このような「く」の字型におけるそれぞれの斜辺は、吸収軸Ａｎもしくは吸収軸Ｐｏに対して、例えば、略４５°の角度をなしている。また、各画素電極１２Ｒ，１２Ｇ，１２Ｂおよび対向電極１６には、この「く」の字型の辺の傾斜角とほぼ等しい角度方向に沿って、図示しない複数のスリットや突起などの配向制御手段が設けられている。これにより、一画素内に、液晶分子の配向方向（ダイレクタの向き）がそれぞれ異なる複数の領域（マルチドメイン）を形成することができる。なお、吸収軸に対して傾斜する方向とは、吸収軸に対して平行も直交もしない方向をいうものとする。
【００２４】
例えば、図３（Ａ）に示したように、各画素１０Ｒ，１０Ｇ，１０Ｂは、液晶分子の配向方向がそれぞれ異なる４つの領域ａ，ｂ，ｃ，ｄに分割されている。このとき、領域ａ，ｂ，ｃ，ｄでは、図３（Ｂ）に示したように、偏光板１９，２０の吸収軸Ａｎもしくは吸収軸Ｐｏに対して傾斜する方向に液晶分子のダイレクタが制御される。特に、各画素の斜辺が、吸収軸Ａｎもしくは吸収軸Ｐｏに対して略４５°をなし、領域ａ，ｂ，ｃ，ｄにおける液晶分子のダイレクタはそれぞれ、吸収軸Ａｎもしくは吸収軸Ｐｏに対して略４５°の角度をなしている。なお、この領域ａ，ｂ，ｃ，ｄが、本発明における複数の領域に対応している。
【００２５】
このような平面形状を有する画素１０Ｒ，１０Ｇ，１０Ｂのそれぞれに対して配置されるデータ線１１ａは、表示開口領域に、平行部１１ａ−１を有している。平行部１１ａ−１は、例えば、吸収軸Ａｎに対して平行な方向に延在している。このとき、各画素の表示開口領域ではない領域、例えばブラックマトリクス層ＢＭに対向する領域では、データ線１１ａは、画素の平面形状に沿って形成されている。また、データ線１１ａは、その延在方向の直交する方向において隣接する複数の画素領域に対向しないことが好ましい。隣接する画素間にまたがってデータ線が配置されると、寄生容量が発生する要因となるからである。なお、表示開口領域とは、データ線１１ａなどの金属配線層が配置されていない状態において、実際に光が通る領域をいうものとする。
【００２６】
また、このような液晶表示装置１は、例えば次のようにして製造することができる。
【００２７】
まず、ガラス基板の表面に、例えば、マトリクス状に画素電極１２Ｒ，１２Ｇ，１２Ｂ、画素１０Ｒ，１０Ｇ，１０Ｂをそれぞれ駆動するゲート・ソース・ドレイン等を備えたＴＦＴスイッチング素子、これら複数のＴＦＴスイッチング素子にそれぞれ接続されるゲート線（図示せず）、および平行部１１ａ−１を有するデータ線１１ａを形成することにより、ＴＦＴ基板１１を形成する。一方、対向基板１８の表面に、例えば、Ｒ、Ｇ、Ｂのカラーフィルタ層１７Ｒ，１７Ｇ，１７ＢおよびブラックマトリクスＢＭをパターニング形成したのち、対向電極１６を形成する。また、画素電極１２Ｒ，１２Ｇ，１２Ｂおよび対向電極１６には、くの字型の斜辺に沿って所定の間隔でスリットを形成しておく。続いて、形成した画素電極１２Ｒ，１２Ｇ，１２Ｂおよび対向電極１６の表面に、例えば、垂直配向剤の塗布や、垂直配向膜を印刷して焼成することにより配向膜１３，１５を、それぞれ形成する。
【００２８】
次いで、ＴＦＴ基板１１あるいは対向基板１８のどちらか一方の表面（配向膜１３，１５の形成されている面）に対して、セルギャップを確保するためのスペーサ、例えばプラスチックビーズ等を散布すると共に、例えばスクリーン印刷法によりエポキシ接着剤等を用いて、シール部を印刷する。こののち、ＴＦＴ基板１１と対向基板１８とを、配向膜１３，１５同士が対向するように、スペーサおよびシール部を介して貼り合わせ、液晶層１４を注入する。その後、加熱等によりシール部の硬化を行うことにより液晶層１４をＴＦＴ基板１１と対向基板１８との間に封止する。
【００２９】
最後に、ＴＦＴ基板１１の下面および対向基板１８の上面に、それぞれ偏光板１９および偏光板２０を貼り合わせることにより、図１に示した液晶表示装置１を完成する。
【００３０】
次に、上記のような構成を有する液晶表示装置１の作用、効果について説明する。
【００３１】
液晶表示装置１では、図示しない光源から射出された光は、偏光板１９へ入射すると、特定の偏光成分のみが透過され、液晶層１４側へ入射する。液晶層１４では、画像データに基づいて画素電極１２Ｒ，１２Ｇ，１２Ｂと対向電極１６との間に印加される電圧によって、光が変調される。液晶層１４を透過した光は、画素１０Ｒ，１０Ｇ，１０Ｂごとに、カラーフィルタ層１７Ｒ，１７Ｇ，１７Ｂによって、それぞれ赤、緑、青の光として取り出されたのち、偏光板２０によって特定の偏光成分のみが透過されて、表示が行われる。
【００３２】
ここで、従来の矩形状の画素では、図１０（Ａ）および図１０（Ｂ）に示したように、液晶分子のダイレクタを吸収軸に対して傾斜する方向に制御する場合、矩形状の周縁の領域Ｄでは液晶分子に対して電界が一様に印加されず、液晶分子の配向状態が乱れてしまう。このため、画素の周縁領域においては液晶分子の配向を所望の方向に制御することができず、この結果、開口率が低下してしまう。
【００３３】
これに対し、本実施の形態では、画素１０Ｒ，１０Ｇ，１０Ｂの平面形状における対向する２辺が、偏光板１９，２０の吸収軸Ａｎもしくは吸収軸Ｐｏに対して傾斜する方向に延在していることにより、これら傾斜した辺の近傍の領域においても、液晶分子に対して電界が一様に印加される。これにより、液晶層１４の液晶分子のダイレクタを、偏光板１９，２０の吸収軸Ａｎもしくは吸収軸Ｐｏに対して傾斜する方向に、一様に配向制御し易くなる。よって、上記のような矩形状の画素に比べて開口率が向上する。
【００３４】
また、このとき、各画素の平面形状において、２組の対向する２辺が、それぞれ異なる方向に傾斜して延在していることにより、すなわち、「く」の字型の平面形状とした場合には、例えばスリットなどの配向制御手段を、「く」の字型の形状に沿って形成することで、例えば図３（Ａ）に示したように、配向分割された領域（ａ，ｂ，ｃ，ｄ）を４つ形成することができるため、広視野角となる。特に、吸収軸Ａｎもしくは吸収軸Ｐｏに対して４５°の角度をなすように、液晶分子のダイレクタを制御することで、効果的に開口率を向上させることができる。
【００３５】
ここで、図４に、「く」の字型の画素１００Ｒ，１００Ｇ，１００Ｂに対して、データ線１１０ａを配置した場合の平面構成を示す。このように、「く」の字型の画素では、その平面形状に沿ってデータ線１１０ａが配置されることとなる。ところが、吸収軸Ａｎもしくは吸収軸Ｐｏに対して傾斜する方向に延在して形成されたデータ線１１０ａの側面で反射した偏光は、反射によって偏光成分が変化し、偏光板によって吸収されずに透過される。このため、データ線を吸収軸Ａｎもしくは吸収軸Ｐｏに対して傾斜する方向に配置すると、黒表示の際に光漏れが発生してしまい、コントラストは、例えば１：約１１００と低い値となる。
【００３６】
そこで、本実施の形態では、各画素の表示開口領域において、平行部１１ａ−１が吸収軸Ａｎに対して平行する方向に延在していることにより、図５に示したように、偏光板１９を透過した偏光のうち、ＴＦＴ基板１１に形成された平行部１１ａ−１の側面に所定の角度で入射する偏光は、平行部１１ａ−１の側面において反射されたのち、液晶層１４を介して偏光板２０へ入射することとなる。この際、電圧を印加していない状態、すなわち黒表示の状態では、平行部１１ａ−１の側面で反射した偏光は液晶層１４を透過したのち偏光板２０によって吸収される。よって、黒表示の際の光漏れの発生が抑制され、コントラストは、例えば１：約２２００となり、従来と比べて向上する。
【００３７】
以上説明したように、本実施の形態では、各画素の平面形状を、吸収軸Ａｎもしくは吸収軸Ｐｏに対して傾斜する方向に延在する辺を有する「く」の字型となるようにしたので、開口率が効果的に向上する。また、ＴＦＴ基板１１上に設けられたデータ線１１ａが、各画素の表示開口領域に平行部１１ａ−１を有するようにしたので、平行部１１ａ−１では、光源からの光が側面で反射されたのち、偏光板によって吸収され、黒表示の際の光漏れが抑制される。よって、コントラストおよび輝度を向上させることができる。
【００３８】
次に、本発明の変形例について説明する。なお、以下の変形例では、上記実施の形態に係る液晶表示装置１と同様の構成については同一の符号を付し、適宜説明を省略するものとする。
【００３９】
（変形例１）
図６は、本発明の変形例１に係る液晶表示装置のカラーフィルタ層の側からみた画素２０Ｒ，２０Ｇ，２０Ｂの概略構成を表す平面図である。変形例１では、緑色の光を表示する画素２０Ｇにおいてのみ平行部１１ａ−１が設けられていること以外は、上記実施の形態の液晶表示装置１と同様の構成となっている。このように、平行部１１ａ−１は、必ずしもＲ，Ｇ，Ｂの３つの画素について設けられている必要はなく、Ｇ画素にのみ設けられた構成であってもよい。Ｒ，Ｇ，Ｂのうち、Ｇの視感度が最も高いため、少なくともＧ画素について平行部１１ａ−１を設けるようにすれば、全ての画素について平行部１１ａ−１を設けた場合とほぼ同程度（コントラストが１：約２０００）の効果を得ることができる。
【００４０】
（変形例２）
図７は、本発明の変形例２に係る液晶表示装置の画素３０Ｒ，３０Ｇ，３０Ｂの概略構成を表す平面図である。変形例２では、データ線２１ａが表示開口領域の一部において平行部３１ａ−１を有していること以外は上記実施の形態の液晶表示装置１と同様の構成となっている。平行部３１ａ−１は、吸収軸Ａｎに対して平行な方向に延在している。このように、データ線３１ａのうち、表示開口領域の全域に対して平行部を有している構成に限定されず、表示開口領域の一部にのみ設けられた構成であってもよい。但し、上記実施の形態の液晶表示装置１のように、データ線のうち表示開口領域に対応する領域の全部が平行部となっている構成の方が、黒表示の際の光漏れをより効果的に抑制することができるので好ましい。
【００４１】
なお、本変形例においても、変形例１のようにＲ，Ｇ，Ｂの３つの画素のうちＧ画素にのみ反射光低減部２１ｂを設けるようにしてもよい。
【００４２】
（変形例３）
図８は、本発明の変形例３に係る液晶表示装置の画素４０Ｒ，４０Ｇ，４０Ｂの概略構成を表す平面図である。変形例３では、表示開口領域の２つの領域において平行部４１ａ−１，４１ａ−２が設けられていること以外は、上記液晶表示装置１と同様の構成となっている。平行部４１ａ−１，４１ａ−２は、吸収軸Ａｎに対して平行な方向に延在している。このように、表示開口領域において、平行部が設けられる領域や数は特に限定されない。但し、平行部の数や領域はできるだけ多い方が黒表示の際の光漏れをより効果的に抑制することができるので好ましい。
【００４３】
なお、本変形例においても、変形例１のようにＲ，Ｇ，Ｂの３つの画素のうちＧ画素にのみ平行部４１ａ−１，４１ａ−２を設けるようにしてもよい。
【００４４】
以上、実施の形態を挙げて本発明を説明したが、本発明は上記実施の形態に限定されず、種々の変形が可能である。例えば、上記実施の形態では、ＴＦＴ基板に配置される金属層として、データ線を例に挙げて説明したが、これに限定されず、他の金属層、例えば補助容量線、ゲート線など、その側面で光源からの光を反射する可能性があるものについて適用することができる。具体的には、Ｒ，Ｇ，Ｂの各画素が、例えば、トライアングルのような配置にある場合や、半ドットずらしになるような配置にある場合などには、ゲート線や補助容量線が一直線ではなくなるため、このような場合には本発明は有効となる。
【００４５】
また、上記実施の形態では、液晶層として垂直配向型のＶＡ液晶を用いた構成を例に挙げて説明したが、これに限定されず、他のモード、例えばＴＮ（Twisted Nematic）モード、ＩＰＳ（In Plane Switching）モードの液晶についても適用可能である。
【００４６】
また、上記実施の形態では、Ｒ，Ｇ，Ｂの３色のカラーフィルタ層を設け、各画素をそれぞれのカラーフィルタ層に割り当てたフルカラー表示の液晶表示装置の構成を例に挙げて説明したが、これに限定されず、カラーフィルタ層が設けられていない構成、例えばモノクロ表示の液晶表示装置にも適用可能である。また、Ｒ，Ｇ，Ｂの全てあるいはＧのみに平行部を設けた構成を例に挙げて説明したが、これに限定されず、ＲとＧのみ、ＧとＢのみ、ＲとＢのみ、Ｒのみ、Ｂのみに平行部を設けた構成であっても、本発明の効果は得られる。
【００４７】
また、上記実施の形態では、画素の平面形状として、「く」の字型の形状を例に挙げて説明したが、これに限定されず、偏光板の透過軸もしくは吸収軸に対して傾斜する方向に延在する辺を有する形状、例えば平行四辺形や菱形、あるいは「く」の字を上下方向に連結させたような形状（Ｗ字、Ｍ字、ジグザグ形状）などであってもよい。
【００４８】
また、上記実施の形態では、各画素を配向分割し、液晶分子の配向方向がそれぞれ異なる４つの領域を形成した構成を例に挙げて説明したが、配向分割の数はこれに限定されず、３つ以下あるいは５つ以上であっても、本発明の効果は得られる。
【００４９】
また、上記実施の形態では、データ線の平行部が、光源側の偏光板１９の吸収軸Ａｎに対して平行な方向に延在する構成を例に挙げて説明したが、これに限定されず、偏光板２０の吸収軸Ｐｏ、偏光板１９の透過軸あるいは偏光板２０の透過軸に対して平行する方向に延在するようにしてもよい。
【００５０】
また、上記実施の形態では、光源側の偏光板１９の吸収軸Ａｎを垂直方向、表示側の偏光板２０の吸収軸Ｐｏを水平方向となるように、偏光板１９，２０を配置した構成を例に挙げて説明したが、偏光板の軸方向は、これに限定されず、吸収軸Ａｎを水平方向、吸収軸Ｐｏを垂直方向となるように配置するようにしてもよい。
【図面の簡単な説明】
【００５１】
【図１】本発明の第１の実施形態に係る液晶表示装置の概略構成を表す断面図である。
【図２】図１に示した液晶表示装置の画素の概略構成を表す平面図である。
【図３】（Ａ）は図２に示した画素の配向分割の一例を表す平面図であり、（Ｂ）は液晶分子のダイレクタを表す模式図である。
【図４】比較例に係るくの字型画素の配線構成を表す平面図である。
【図５】データ線の側面において光が反射する様子を表す図である。
【図６】変形例１に係る液晶表示装置の画素の概略構成を表す平面図である。
【図７】変形例２に係る液晶表示装置の画素の概略構成を表す平面図である。
【図８】変形例３に係る液晶表示装置の画素の概略構成を表す平面図である。
【図９】従来例に係る垂直配向型の液晶表示装置の概略構成を表す断面図である。
【図１０】従来例に係る矩形状画素の概略構成を表す平面図である。
【符号の説明】
【００５２】
１…液晶表示装置、１０Ｒ，１０Ｇ，１０Ｂ，２０Ｒ，２０Ｇ，２０Ｂ，３０Ｒ，３０Ｇ，３０Ｂ，４０Ｒ，４０Ｇ，４０Ｂ…画素、１１…ＴＦＴ基板、１１ａ，２１ａ，３１ａ…データ線、１１ａ−１，２１ａ−１，４１ａ−１，４１ａ−２…平行部、１２Ｒ，１２Ｇ，１２Ｂ…画素電極、１３，１５…配向膜、１４…液晶層、１６…対向電極、１７Ｒ，１７Ｇ，１７Ｂ…カラーフィルタ層、１８…対向基板、１９，２０…偏光板。
【図１】
2009047773.tif 000003
【図２】
2009047773.tif 000004
【図３】
2009047773.tif 000005
【図４】
2009047773.tif 000006
【図５】
2009047773.tif 000007
【図６】
2009047773.tif 000008
【図７】
2009047773.tif 000009
【図８】
2009047773.tif 000010
【図９】
2009047773.tif 000011
【図１０】
2009047773.tif 000012